(57)【要約】【課題】結露の影響により不正確な粒子濃度の報知等が行われてしまうこと、を防止することのできる車両用空調装置を提供する。【解決手段】車両用空調装置１０は、空気中の粒子濃度を光学的に検知する粒子検知部３００と、粒子検知部３００の内部において、検知される粒子濃度の値に影響を及ぼすような結露が発生しているか否かを判定する結露判定部１１０と、を備える。【選択図】図１
2019038523.tif 000002
【特許請求の範囲】
【請求項１】
車両に搭載される車両用空調装置（１０）であって、
空気中の粒子濃度を光学的に検知する粒子検知部（３００）と、
前記粒子検知部の内部において、検知される前記粒子濃度の値に影響を及ぼすような結露が発生しているか否かを判定する結露判定部（１１０）と、を備える車両用空調装置。
【請求項２】
前記結露判定部は、
前記粒子検知部からの出力値が所定値よりも大きい場合に、前記結露が発生していると判定する、請求項１に記載の車両用空調装置。
【請求項３】
前記結露判定部は、
前記粒子検知部からの出力値の時間変化率が所定値よりも大きい場合に、前記結露が発生していると判定する、請求項１に記載の車両用空調装置。
【請求項４】
前記結露判定部は、
前記車両の外部の気温である外気温度と、前記車両の外部の湿度である外気湿度と、前記車両の車室内の気温である内気温度と、に基づいて、前記結露が発生しているか否かを判定する、請求項１に記載の車両用空調装置。
【請求項５】
前記結露判定部は、
前記外気温度及び外気湿度に基づいて、単位体積の外部の空気に含まれる水蒸気量、である外気水蒸気量を算出し、
前記内気温度に基づいて、単位体積の前記車室内の空気における飽和水蒸気量、である内気飽和水蒸気量を算出し、
前記外気水蒸気量が前記内気飽和水蒸気量よりも大きいときに前記車両のドアが開放された場合に、前記結露が発生していると判定する、請求項４に記載の車両用空調装置。
【請求項６】
前記結露が発生し得ない状況であるか否かを判定する状況判定部（１２０）を更に備え、
前記状況判定部によって、前記結露が発生し得ない状況であると判定された場合には、
前記結露判定部は、前記結露が発生しているか否かの判定を行わない、請求項１乃至５のいずれか１項に記載の車両用空調装置。
【請求項７】
前記状況判定部は、
前記粒子検知部に導入される空気の温度が、前記粒子検知部の内部の温度よりも低い場合には、前記結露が発生し得ない状況であると判定する、請求項６に記載の車両用空調装置。
【請求項８】
前記結露判定部は、
前記結露が発生していると判定した後において、前記粒子検知部からの出力値が所定の解除値以下となった場合に、前記結露が発生していないと判定する、請求項１乃至７のいずれか１項に記載の車両用空調装置。
【請求項９】
前記解除値とは、
前記結露が発生していると判定されるよりも前の時点における、前記粒子検知部からの出力値である、請求項８に記載の車両用空調装置。
【請求項１０】
前記結露判定部は、
前記結露が発生していると判定した後において、前記粒子検知部に導入される空気の温度が、前記粒子検知部の内部の温度よりも低くなった場合に、前記結露が発生していないと判定する、請求項１乃至７のいずれか１項に記載の車両用空調装置。
【請求項１１】
前記結露判定部は、
前記結露が発生していると判定した後において、前記粒子検知部の内部の温度が所定温度よりも高くなった場合に、前記結露が発生していないと判定する、請求項１乃至７のいずれか１項に記載の車両用空調装置。
【請求項１２】
前記結露判定部は、
前記結露が発生していると判定した後において所定期間が経過したときに、前記結露が発生していないと判定する、請求項１乃至７のいずれか１項に記載の車両用空調装置。
【請求項１３】
前記粒子検知部によって検知された前記粒子濃度を、前記結露判定部による判定結果と共に前記車両の乗員に報知するための報知部（１４０）を更に備える、請求項１乃至１２のいずれか１項に記載の車両用空調装置。
【発明の詳細な説明】
【技術分野】
【０００１】
本開示は、車両に搭載される車両用空調装置に関する。
【背景技術】
【０００２】
車両用空調装置は、車室内又は車両の外から取り込んだ空気の温度を調節し、温度調節後の空気（つまり空調風）を車室内に向けて吹き出すものである。空気の温度調節は、例えば下記特許文献１に記載されているように、空調ユニット内のヒータコアやエバポレータによって行われる。
【０００３】
本発明者らは、空気中を漂う粒子（例えばＰＭ２．５のような微小粒子）の濃度を検知する機能を、車両用空調装置に付与することについて検討を進めている。例えば、粒子濃度を検知するためのセンサを車両用空調装置が備えることとした上で、車室内から空調ユニットに引き込まれる空気の一部が上記センサを通って流れるような構成とすれば、車室内の空気中における粒子濃度を検知することが可能となる。
【０００４】
粒子濃度を検知するためのセンサとしては、粒子濃度を光学的に検知するものが知られている。例えば下記特許文献２には、このようなセンサを換気装置に設けることについての記載がある。当該センサは、その内部に発光部と受光部とを有している。発光部は、センサ内の特定の検知領域に向けて、レンズを介して光を発する。受光部は、発光部から発せられた光のうち、検知領域を通過する空気中の粒子によって散乱された光を、レンズを介して受光する。このような構成のセンサは、受光部で受光した光の光量に基づいて、空気中における粒子濃度を検知することができる。
【先行技術文献】
【特許文献】
【０００５】
【特許文献１】特開２００８−２４０３２号公報
【特許文献２】特開２０１５−２５５８７号公報
【発明の概要】
【発明が解決しようとする課題】
【０００６】
ところで、上記構成のセンサに流入する空気の温度や湿度によっては、センサの内部において結露が生じることがある。発光部や受光部のレンズ表面で結露が生じると、実際には空気中の粒子濃度が上昇していないにも拘らず、粒子濃度が上昇した旨の信号がセンサから出力されてしまうことがある。また、センサによって検知された粒子濃度の値が、実際の粒子濃度とは異なる値となってしまうこともある。その結果、例えば乗員に向けて誤った粒子濃度の値が報知（例えば表示）されてしまったり、誤った粒子濃度に基づいて不要な制御が行われてしまったりする可能性がある。
【０００７】
本開示は、結露の影響により不正確な粒子濃度の報知等が行われてしまうこと、を防止することのできる車両用空調装置を提供することを目的とする。
【課題を解決するための手段】
【０００８】
本開示に係る車両用空調装置は、車両に搭載される車両用空調装置（１０）であって、空気中の粒子濃度を光学的に検知する粒子検知部（３００）と、粒子検知部の内部において、検知される粒子濃度の値に影響を及ぼすような結露が発生しているか否かを判定する結露判定部（１１０）と、を備える。
【０００９】
このような構成の車両用空調装置では、粒子検知部の内部において、検知される粒子濃度の値に影響を及ぼすような結露が発生しているか否かを、結露判定部によって判定することができる。これにより、粒子検知部からの出力値が正確な値なのか、それとも結露の影響により不正確となった値なのか、を把握することが可能となる。
【００１０】
例えば、粒子検知部による粒子濃度の測定値を乗員に向けて報知すると共に、結露が発生している旨も乗員に向けて報知することとすれば、報知されている測定値が正確なものであるか否かを乗員に知らせることができる。また、結露が発生しているときには、乗員に対する粒子濃度の報知を一時的に行わないこととすれば、正確な粒子濃度のみを乗員に報知することもできる。
【発明の効果】
【００１１】
本開示によれば、結露の影響により不正確な粒子濃度の報知等が行われてしまうこと、を防止することのできる車両用空調装置が提供される。
【図面の簡単な説明】
【００１２】
【図１】図１は、第１実施形態に係る車両用空調装置の全体構成を示す図である。
【図２】図２は、車両用空調装置が備える粒子検知部の内部構成を示す図である。
【図３】図３は、粒子検知部から出力される出力値の時間変化の一例を示す図である。
【図４】図４は、粒子検知部の内部における結露発生量と、粒子検知部から出力される出力値の最大値と、の関係を示す図である。
【図５】図５は、第１実施形態に係る車両用空調装置が備える制御装置、によって実行される処理の流れを示すフローチャートである。
【図６】図６は、第１実施形態に係る車両用空調装置が備える制御装置、によって実行される処理の流れを示すフローチャートである。
【図７】図７は、第２実施形態に係る車両用空調装置が備える制御装置、によって実行される処理の流れを示すフローチャートである。
【図８】図８は、第３実施形態に係る車両用空調装置が備える制御装置、によって実行される処理の流れを示すフローチャートである。
【図９】図９は、第４実施形態に係る車両用空調装置が備える制御装置、によって実行される処理の流れを示すフローチャートである。
【図１０】図１０は、第５実施形態に係る車両用空調装置が備える制御装置、によって実行される処理の流れを示すフローチャートである。
【図１１】図１１は、第６実施形態に係る車両用空調装置が備える制御装置、によって実行される処理の流れを示すフローチャートである。
【図１２】図１２は、第７実施形態に係る車両用空調装置が備える制御装置、によって実行される処理の流れを示すフローチャートである。
【図１３】図１３は、第８実施形態に係る車両用空調装置の全体構成を示す図である。
【図１４】図１４は、第８実施形態に係る車両用空調装置が備える制御装置、によって実行される処理の流れを示すフローチャートである。
【図１５】図１５は、第９実施形態に係る車両用空調装置が備える制御装置、によって実行される処理の流れを示すフローチャートである。
【図１６】図１６は、温度や湿度の情報をクラウドサーバーから取得するための構成を模式的に示す図である。
【発明を実施するための形態】
【００１３】
以下、添付図面を参照しながら本実施形態について説明する。説明の理解を容易にするため、各図面において同一の構成要素に対しては可能な限り同一の符号を付して、重複する説明は省略する。
【００１４】
図１を参照しながら、本実施形態に係る車両用空調装置１０について説明する。車両用空調装置１０は、車両（全体は不図示）に搭載され、当該車両の車室内における空調を行うための装置である。車両用空調装置１０は、空調ケース２００と、ブロア２５０と、粒子フィルタ２４０と、熱交換部２６０と、粒子検知部３００と、制御装置１００と、報知部１４０と、を備えている。
【００１５】
空調ケース２００は、空調対象である空気を車室内に案内するための管状の部材である。空調ケース２００の内側では、図１における左側から右側に向かう方向に空気が流れる。空調ケース２００には、内気導入部２１０と、外気導入部２２０と、フェイスダクト２７０と、フットダクト２８０と、が形成されている。
【００１６】
内気導入部２１０は、車室内の空気（内気）を空調ケース２００の内側に取り入れるための導入口である。外気導入部２２０は、車室外の空気（外気）を空調ケース２００の内側に取り入れるための導入口である。内気導入部２１０及び外気導入部２２０は、空調ケース２００のうち上流側部分において並ぶように形成されている。
【００１７】
内気導入部２１０と外気導入部２２０との間には内外気切り換えドア２３０が設けられている。内外気切り換えドア２３０は、内気導入部２１０のみが開かれている状態（図１）と、外気導入部２２０のみが開かれている状態と、を切り換えるためのドアである。内気導入部２１０のみが開かれている状態は、車室内から取り入れられた内気が空調されて車室内に吹き出される状態である。このような状態となる車両用空調装置１０の動作モードのことを、以下では「内気循環モード」とも表記する。外気導入部２２０のみが開かれている状態は、車室外から取り入れられた外気が空調されて車室内に吹き出される状態である。このような状態となる車両用空調装置１０の動作モードのことを、以下では「外気循環モード」とも表記する。内外気切り換えドア２３０の動作は、後述の制御装置１００によって制御される。
【００１８】
フェイスダクト２７０及びフットダクト２８０は、いずれも、空調された空気を車室内に導くための排出口である。フェイスダクト２７０及びフットダクト２８０は、空調ケース２００のうち下流側部分に形成されている。フェイスダクト２７０は、乗員の顔に向けて空調風を吹き出すためのフェイス吹き出し口（不図示）に繋がっている。フットダクト２８０は、乗員の足元に向けて空調風を吹き出すためのフット吹き出し口（不図示）に繋がっている。
【００１９】
フェイスダクト２７０の入口部分にはフェイスドア２７１が設けられている。フェイスドア２７１が図１のように開状態となっているときには、フェイスダクト２７０からフェイス吹き出し口に向けて空調風が供給される。同様に、フットダクト２８０の入口部分にはフットドア２８１が設けられている。フットドア２８１が開状態となっているときには、フットダクト２８０からフット吹き出し口に向けて空調風が供給される。フェイスドア２７１及びフットドア２８１のそれぞれの動作は制御装置１００によって制御される。
【００２０】
尚、例えばフェイスダクト２７０の下流側が二つに分岐しており、その一方が窓の近傍に形成されたデフロスタ吹き出し口（不図示）に繋がっているような態様であってもよい。
【００２１】
ブロア２５０は、空調ケース２００の内側において、車室に向けて空気を送り出すための送風機である。ブロア２５０の回転数、すなわち車両用空調装置１０から吹き出される空調風の風量は、制御装置１００によって制御される。
【００２２】
粒子フィルタ２４０は、空調ケース２００を通過する空気から、当該空気に含まれる粒子を除去するためのフィルタである。粒子フィルタ２４０は、内気導入部２１０や外気導入部２２０よりも下流側であり、且つブロア２５０よりも上流側となる位置に設けられている。ここでいう「粒子」とは、例えばＰＭ２．５のような微小粒子である。
【００２３】
熱交換部２６０は、冷媒などとの熱交換によって空調を行う部分である。熱交換部２６０は、ブロア２５０よりも下流側であり、且つフェイスダクト２７０やフットダクト２８０よりも上流側となる位置に設けられている。熱交換部２６０には、空気の除湿及び冷却を行うためのエバポレータや、空気の加熱を行うためのヒータコア、及び、これらを通過する空気の流量を調整するためのエアミックスドア等（いずれも不図示）が設けられている。尚、このような熱交換部２６０の構成としては公知のものを採用し得るので、その具体的な図示や説明は省略する。
【００２４】
粒子検知部３００は、空気中における粒子を光学的に検知するためのセンサである。図１に示されるように、空調ケース２００のうち粒子フィルタ２４０よりも下流側であり、且つブロア２５０よりも上流側となる位置には、導入管２９０の一端が接続されている。導入管２９０の他端は車室内に開放されている。粒子検知部３００は、この導入管２９０の途中となる位置に設けられている。ブロア２５０が駆動されており、空調ケース２００の内側を空気が流れているときには、空調ケース２００側で生じる負圧により、導入管２９０においても空気の流れが生じる。つまり、車室内から導入管２９０を通って空調ケース２００内に至るような空気の流れが生じる。粒子検知部３００は、当該空気に含まれる粒子の濃度を測定し、当該濃度を電気信号により制御装置１００に送信する。
【００２５】
粒子検知部３００の内部構成について、図２を参照しながら説明する。図２は、粒子検知部３００の外郭をなすケース３４０から不図示の蓋を取り外し、当該ケース３４０の内部構成を示したものである。
【００２６】
ケース３４０は全体が略直方体状の容器である。ケース３４０のうち図２に示されている部分（つまり蓋以外の部分）は、平板部３４１と、側壁部３３０と、を有している。
【００２７】
平板部３４１は、その全体が略平板状に形成された部分である。平板部３４１には、入口３０１と出口３０２とが形成されている。入口３０１は、測定対象となる空気を導入管２９０から内部に導入するための開口である。出口３０２は、測定された後の空気を内部から導入管２９０へと排出するための開口である。
【００２８】
側壁部３３０は、平板部３４１の外周部近傍となる位置から、図２における紙面手前側に向けて伸びるように形成された壁である。側壁部３３０は矩形の枠体となっており、平板部３４１と共にケース３４０の内部空間を区画している。側壁部３３０は、不図示の蓋の内側に嵌め込まれる部分となっている。
【００２９】
図２に示されるように、ケース３４０の内側には、発光部３１０と受光部３２０とが配置されている。発光部３１０は、ケース３４０の内部において、入口３０１から流入した空気に光を照射するものである。当該光は、発光部３１０が有する第１レンズ３１１を介して発せられる。本実施形態では、発光部３１０としてＬＥＤが用いられている。図２において符号ＬＸ１が付されている一点鎖線は、発光部３１０の光軸を示している。以下では、当該光軸のことを「光軸ＬＸ１」とも表記する。発光部３１０から発せられた光は、矢印で示されるように流れている空気に照射される。当該光の一部は、空気に含まれる粒子（つまり検知対象の粒子）に当たって散乱される。
【００３０】
受光部３２０は、上記のように散乱された光を受光し、その受光量に応じた信号を発する素子である。当該光は、受光部３２０が有する第２レンズ３２１を介して受光される。図２において符号ＬＸ２が付されている一点鎖線は、受光部３２０の光軸を示している。以下では、当該光軸のことを「光軸ＬＸ２」とも表記する。
【００３１】
光軸ＬＸ１と光軸ＬＸ２とは、空気が流れる経路の途中となる位置において互いに交差している。この交差している点及びその近傍を含む微小な領域は、粒子を検知するための検知領域ＤＡとなっている。粒子検知部３００は、この検知領域ＤＡの粒子によって散乱された光のみを、受光部３２０が受光するように設計されている。これにより、受光部３２０による粒子の検知が正確に行われる。
【００３２】
仮に、検知領域ＤＡ以外の箇所からの反射光が受光部３２０に到達したり、入口３０１や出口３０２から侵入した光が受光部３２０に到達したりすると、粒子の検知が正確には行われなくなる。また、発光部３１０から照査された光以外の光が検知領域ＤＡに到達した場合にも、やはり粒子の検知が正確には行われなくなる。このように、想定外の経路で検知領域ＤＡや受光部３２０に到達し、粒子の検知に悪影響を及ぼしてしまう光のことを、以下では「迷光」とも称する。
【００３３】
迷光の影響を防止するために、ケース３４０の内側には複数のリブ３３１、３３２、３３３、３４が形成されている。これらはいずれも、平板部３４１に対して垂直な壁となっており、平板部３４１から図２の紙面手前側に向けて伸びるように形成されている。
【００３４】
粒子検知部３００は、受光部３２０で受光された光量に基づいた信号（具体的には電圧）を制御装置１００に送信する。制御装置１００は、当該信号に基づいて、車室内の空気における粒子濃度を取得することができる。
【００３５】
粒子検知部３００には内部温度センサ３５０が設けられている。内部温度センサ３５０は、粒子検知部３００の内部の温度を測定するための温度センサである。ここでいう「粒子検知部３００の内部の温度」とは、粒子検知部３００のうち、通過する空気が触れる部分の温度のことである。当該温度のことを、以下では「内部温度」とも表記する。内部温度センサ３５０は、ケース３４０のうち、空気が通る流路とは反対側（図２では紙面奥側）となる位置に設けられている。内部温度センサ３５０で測定された内部温度は制御装置１００へと送信される。
【００３６】
内部温度センサ３５０が設けられている位置は、空気流路の内面の温度（つまり、測定に影響するような結露が生じる部分の温度）を直接的又は間接的に測定できる位置なら、上記とは異なる位置であっても良い。例えば、ケース３４０の内側であって空気の流れを妨げないような位置に内部温度センサ３５０が設けられていても良い。
【００３７】
図１に戻って説明を続ける。制御装置１００は、車両用空調装置１０の全体の動作を制御するための装置である。制御装置１００は、ＣＰＵ、ＲＯＭ、ＲＡＭ等を備えたコンピュータシステムとして構成されている。既に述べたように、制御装置１００は、内外気切り換えドア２３０やブロア２５０等の動作を制御する。
【００３８】
このような態様に換えて、車両全体の制御を行うＥＣＵが、制御装置１００の機能を有しているような態様であってもよい。つまり、車両用空調装置１０の制御を行う制御装置１００が、車両全体の制御を行うＥＣＵの一部として構成されているような態様であってもよい。
【００３９】
車両用空調装置１０が搭載された車両には、粒子検知部３００の他にも様々なセンサが設けられており、それぞれのセンサからの信号が制御装置１００に入力されている。図１ではこれらのセンサのうち、外気温度センサ１３１と、外気湿度センサ１３２と、内気温度センサ１３３と、ドアセンサ１３４と、が示されている。
【００４０】
外気温度センサ１３１は、車両の外部の気温（以下では「外気温度」とも表記する）を測定するための温度センサである。外気温度センサ１３１は、例えば外気導入部２２０の途中となる位置に設けられている。外気温度センサ１３１で測定された外気温度は制御装置１００へと送信される。
【００４１】
外気湿度センサ１３２は、車両の外部の湿度（以下では「外気湿度」とも表記する）を測定するための湿度センサである。外気湿度センサ１３２は、例えば外気導入部２２０の途中となる位置に設けられている。外気湿度センサ１３２で測定された外気湿度は制御装置１００へと送信される。
【００４２】
内気温度センサ１３３は、車室内の気温（以下では「内気温度」とも表記する）を測定するための温度センサである。内気温度センサ１３３は、例えば内気導入部２１０の途中となる位置に設けられている。内気温度センサ１３３で測定された内気温度は制御装置１００へと送信される。
【００４３】
ドアセンサ１３４は、車両に設けられた不図示のドア、つまり、乗員が車室内に出入りするために設けられたドアの開閉状態を検知するためのセンサである。車両には上記のドアが複数設けられており、ドアセンサ１３４はそれぞれのドアに設けられている。ドアセンサ１３４によって検知された各ドアの開閉状態は、制御装置１００へと送信される。
【００４４】
制御装置１００は、機能的な制御ブロックとして結露判定部１１０を備えている。結露判定部１１０は、粒子検知部３００の内側において、検知される粒子濃度の値に影響を及ぼすような結露が発生しているか否かを判定する部分である。
【００４５】
粒子濃度の検知における結露の影響について、図３を参照しながら説明する。図３に示されるグラフの縦軸は、粒子検知部３００から制御装置１００へと出力される信号の値、つまり、空気中の粒子濃度によって変化する電圧値を示している。
【００４６】
図３の例では、時刻ｔ０１以降において、粒子検知部３００の内側で結露が生じている。時刻ｔ０１以降では、第１レンズ３１１や第２レンズ３２１の表面で生じた結露によって光の経路が変化し、上記の電圧値が上昇している。電圧値の上昇は、時刻ｔ０１から時刻ｔ０２までの期間において生じている。
【００４７】
上記のような電圧値の上昇は、検知領域ＤＡに、粒子を含んだ空気が流入している際においても同様に生じる。このため、結露に伴って図３に示されるような信号が制御装置１００へと出力された場合には、実際には粒子濃度が上昇していないにも拘らず、粒子濃度が上昇したとの誤判定を制御装置１００が行ってしまう恐れがある。
【００４８】
そこで、本実施形態ではこのような誤判定を防止するために、制御装置１００が上記の結露判定部１１０を有することとしている。結露が発生しているか否かを結露判定部１１０が判定するので、制御装置１００は、粒子検知部３００から送信される信号が、正確な粒子濃度を示すものであるか否か（つまり、結露の影響を受けたものであるか否か）を判定することができる。
【００４９】
尚、既に述べたように制御装置１００は、粒子検知部３００から出力される信号に基づいて粒子濃度を判定する。粒子濃度の時間変化については図示を省略するが、図３に示されるものと同様の時間変化となる。以下では、粒子検知部３００から制御装置１００へと出力される電圧値、及び、当該電圧値に基づいて算出された粒子濃度の値、のいずれか一方を含むものとして、「出力値」の語を用いる。
【００５０】
本発明者らが実験等によって確認したところによれば、粒子検知部３００の内部における結露発生量が大きくなるほど、粒子検知部３００から出力される上記出力値の最大値が大きくなるという知見が得られている。図４には、結露発生量と、出力値（電圧値）の最大値との関係が示されている。結露発生量（横軸）がある程度大きくなると、出力値の最大値（縦軸）は、通常の粒子濃度に対応する値よりも大きくなる。尚、出力値が、電圧値ではなく粒子濃度の値である場合においても、図４に示されるものと同様の関係となる。
【００５１】
また、本発明者らによれば、結露が発生した際における粒子検知部３００の出力値の時間変化は、粒子濃度が高くなったときにおける通常の時間変化に比べて大きくなる、という知見も得られている。後に説明するように、結露判定部１１０は、以上のような知見等に基づいて、粒子検知部３００の内部で結露が発生しているか否かを判定する。
【００５２】
図１に戻って説明を続ける。報知部１４０は、粒子検知部３００によって検知された粒子濃度を、結露判定部１１０による判定結果と共に車両の乗員に報知するためのものである。本実施形態の報知部１４０は、車室内に設けられたタッチパネル画面として構成されている。つまり、本実施形態においては、乗員に対する粒子濃度等の報知が視覚的に行われる。このような態様に換えて、乗員に対する報知が例えば音声等によって行われるような態様であってもよい。
【００５３】
制御装置１００によって行われる処理の内容について、図５を参照しながら説明する。図５に示される一連の処理は、所定の制御周期が経過する毎に、制御装置１００によって繰り返し実行される。
【００５４】
最初のステップＳ０１では、粒子検知部３００からの出力値が取得される。ここでは、変動する電圧値（又は粒子濃度の値）の最大値が、出力値として取得される。ステップＳ０１に続くステップＳ０２では、ステップＳ０１で取得された出力値に基づいて、粒子検知部３００の内部において結露が発生しているか否かが判定される。当該判定は、既に述べたように結露判定部１１０によって行われる。当該判定のために行われる処理の具体的な内容について、図６を参照しながら説明する。
【００５５】
当該判定の最初に行われるステップＳ１１では、図５のステップＳ０１で取得された出力値が、所定の閾値ＴＨ１よりも大きいか否かが判定される。閾値ＴＨ１は、検知される粒子濃度の値に影響を及ぼすような結露が生じた際において、粒子検知部３００から制御装置１００へと出力される出力値よりも小さな値として、予め設定された閾値である。このような閾値ＴＨ１としては、通常の（極端ではない）粒子濃度が検知された際における出力値よりも大きな値であり、且つ、第１レンズ３１１や第２レンズ３２１の表面で上記のような結露が生じた際における出力値よりも小さな値、が設定されることが好ましい。
【００５６】
出力値が閾値ＴＨ１よりも大きい場合には、ステップＳ１２に移行する。ステップＳ１２に移行したということは、通常の粒子濃度が検知されたにしては大きな出力値の信号が、粒子検知部３００から出力されたということである。そこで、ステップＳ１２では「結露が発生している」との判定がなされる。
【００５７】
一方、出力値が閾値ＴＨ１以下であった場合には、ステップＳ１３に移行する。ステップＳ１３に移行したということは、結露が生じた場合の値よりも小さな出力値の信号が、粒子検知部３００から出力されたということである。そこで、ステップＳ１３では「結露が発生していない」との判定がなされる。
【００５８】
図５に戻って説明を続ける。ステップＳ０２において「結露が発生している」と判定された場合には、ステップＳ０３に移行する。ステップＳ０３では、結露によって粒子濃度の測定が正確には行われていないことを示すダイアグ信号が、制御装置１００から、車両制御用のＥＣＵ（不図示）に向けて出力される。これに伴い、報知部１４０では、結露が生じている旨を示す文字列（つまり結露判定部１１０による判定結果）が画面上に表示される。
【００５９】
尚、報知部１４０による上記の報知は、制御装置１００から報知部１４０に対して直接送信される信号に基づいて行われてもよく、車両制御用のＥＣＵから報知部１４０に対して送信される信号に基づいて行われてもよい。
【００６０】
ステップＳ０２において「結露が発生していない」と判定された場合、又はステップＳ０３の処理が行われた後には、ステップＳ０４に移行する。ステップＳ０４では、報知部１４０の画面に、出力値に応じた粒子濃度を表示する処理が行われる。ここで表示される粒子濃度は、結露の影響によって不正確な値となっている可能性がある。しかしながら、結露が生じている場合における報知部１４０の画面には、上記のように結露が生じている旨を示す文字列もあわせて表示されている。このため、当該表示を見た乗員に、表示されている粒子濃度が正確ではないことを認識させることができる。
【００６１】
尚、ステップＳ０３においてダイアグ信号が出力されている場合には、ステップＳ０４では、（不正確な）粒子濃度の値を表示しないこととしてもよい。つまり、結露が生じているときには、報知部１４０による粒子濃度の報知を一時的に停止することとしてもよい。
【００６２】
ステップＳ０４に続くステップＳ０５では、ステップＳ０１と同様に、粒子検知部３００からの出力値が再度取得される。ステップＳ０５に続くステップＳ０６では、結露判定部１１０により、粒子検知部３００の内部の結露が解消したか否かが判定される。ここでは、ステップＳ０５で取得された出力値が閾値ＴＨ１以下となっていれば、結露が解消したと判定される。つまり、本実施形態のステップＳ０６において行われる判定の方法は、ステップＳ０２で行われる判定の方法と同じである。
【００６３】
結露が解消したと判定された場合には、ステップＳ０７に移行するステップＳ０７では、制御装置１００に向けたダイアグ信号の出力が停止される。これにより、ステップＳ０３以降において報知部１４０で行われていた、結露が生じている旨を示す文字列の表示が停止される。
【００６４】
ステップＳ０６において、結露が解消していないと判定された場合には、特段の処理を行うことなく、図５に示される一連の処理を終了する。報知部１４０では、結露が生じている旨を示す文字列の表示が継続される。
【００６５】
以上に説明したように、本実施形態に係る車両用空調装置１０では、粒子検知部３００からの出力値が所定の閾値ＴＨ１よりも大きい場合に、結露判定部１１０が、粒子検知部３００において結露が発生していると判定する。結露が生じているか否かの判定が、出力値の大きさに基づいて直接的に行われるので、不正確な粒子濃度の報知が乗員に行われてしまうことを確実に防止することができる。
【００６６】
尚、粒子濃度が増加した場合には、乗員への粒子濃度の報知が行われるだけでなく、制御装置１００によって粒子除去制御が実行されることとしてもよい。粒子除去制御とは、内気循環モードに切り換えた後、ブロア２５０の回転数を増加させることにより、粒子フィルタ２４０によって除去される粒子の量を増加させる制御である。
【００６７】
この場合、結露が生じていないと結露判定部１１０によって判定された場合にのみ、上記の粒子除去制御が実行されることとすればよい。これにより、実際には粒子濃度が増加していないにも拘らず、粒子除去制御が無駄に実行されてしまうような事態を防止することができる。
【００６８】
第２実施形態について説明する。以下では、第１実施形態と異なる点について主に説明し、第１実施形態と共通する点については適宜説明を省略する。本実施形態では、制御装置１００によって実行される処理のうち、図５のステップＳ０２において実行される処理において第１実施形態と異なっている。図７に示される一連の処理は、当該ステップＳ０２において、図６に示される一連の処理に換えて実行される処理である。
【００６９】
当該処理の最初のステップＳ２１では、出力値の時間変化率が所定の閾値ＴＨ２よりも大きいか否かが判定される。「出力値の時間変化率」は、単位時間あたりにおける出力値の上昇量のことである。この時間変化率を算出するために、図５のステップＳ０１では、単一の出力値を取得するのではなく、所定期間に亘って複数の出力値を取得することとすればよい。
【００７０】
上記の閾値ＴＨ２は、検知される粒子濃度の値に影響を及ぼすような結露が生じた際において、生じる出力値の時間変化率よりも小さな値として、予め設定された閾値である。このような閾値ＴＨ２としては、通常の（極端ではない）粒子濃度が検知された際における出力値の時間変化率よりも大きな値であり、且つ、第１レンズ３１１や第２レンズ３２１の表面で上記のような結露が生じた際における出力値の時間変化率よりも小さな値、が設定されることが好ましい。
【００７１】
出力値の時間変化率が閾値ＴＨ２よりも大きい場合には、ステップＳ２２に移行する。ステップＳ２２に移行したということは、測定された出力値の時間変化率が、通常の粒子濃度が検知された場合の時間変化率よりも大きいということである。そこで、ステップＳ２２では「結露が発生している」との判定がなされる。
【００７２】
一方、出力値の時間変化率が閾値ＴＨ２以下であった場合には、ステップＳ２３に移行する。ステップＳ２３に移行したということは、測定された出力値の時間変化率が、結露が生じた場合における出力値の時間変化率よりも小さいということである。そこで、ステップＳ２３では「結露が発生していない」との判定がなされる。
【００７３】
以上に説明したように、本実施形態に係る車両用空調装置１０では、粒子検知部３００からの出力値の時間変化率が所定の閾値ＴＨ２よりも大きい場合に、結露判定部１１０が、粒子検知部３００において結露が発生していると判定する。このような態様でも、第１実施形態で説明したものと同様の効果が得られる。
【００７４】
第３実施形態について説明する。以下では、第１実施形態と異なる点について主に説明し、第１実施形態と共通する点については適宜説明を省略する。本実施形態では、制御装置１００によって実行される処理のうち、図５のステップＳ０６において実行される処理の内容において第１実施形態と異なっている。図８に示される一連の処理は、当該ステップＳ０６において実行される処理の具体的な内容である。
【００７５】
最初のステップＳ３１では、図５のステップＳ０５で取得された出力値が、所定の解除値ＴＨ３以下であるか否かが判定される。解除値ＴＨ３は、ステップＳ０２において結露が発生していると判定されるよりも前の時点に取得され記憶されていた、粒子検知部３００からの出力値である。例えば、図３の時刻ｔ０１よりも前の時点における出力値である。
【００７６】
このような解除値ＴＨ３としては、結露発生前に１回取得された出力値がそのまま用いられてもよく、結露発生前に複数回取得された出力値の平均値が用いられてもよい。
【００７７】
ステップＳ３１において、出力値が解除値ＴＨ３以下であった場合には、ステップＳ３３に移行する。ステップＳ３３に移行したということは、結露の発生に伴って上昇していた出力値が、結露発生前の値以下まで下がったということである。このため、ステップＳ３３では「結露が解消した（つまり現時点では結露が発生していない）」との判定がなされる。
【００７８】
ステップＳ３１において、出力値が解除値ＴＨ３よりも大きかった場合には、ステップＳ３２に移行する。ステップＳ３２に移行したということは、結露の発生に伴って上昇していた出力値が、未だ結露発生前の値までは下がっていないということである。このため、ステップＳ３２では「結露が解消していない（つまり現時点でも結露が発生している）」との判定がなされる。
【００７９】
以上のように、本実施形態の結露判定部１１０は、図５のステップＳ０２で結露が発生していると判定した後において、粒子検知部３００からの出力値が所定の解除値ＴＨ３以下となった場合に、結露が解消したと判定する。このように、結露が解消したとの判定に用いられる閾値が、図６のステップＳ１１で用いられる閾値ＴＨ１とは別に設定された閾値であっても、第１実施形態で説明したものと同様の効果が得られる。
【００８０】
第４実施形態について説明する。以下では、第１実施形態と異なる点について主に説明し、第１実施形態と共通する点については適宜説明を省略する。本実施形態では、制御装置１００によって実行される処理のうち、図５のステップＳ０６において実行される処理の内容において第１実施形態と異なっている。図９に示される一連の処理は、当該ステップＳ０６において実行される処理の具体的な内容である。
【００８１】
最初のステップＳ４１では、外気温度センサ１３１によって測定された外気温度が取得される。尚、ステップＳ４１における外気温度の取得は、上記とは異なる態様において行われてもよい。例えば、制御装置１００が外部のクラウドサーバーと通信を行うことにより、車両の周囲における外気温度をクラウドサーバーから取得することとしてもよい。
【００８２】
ステップＳ４１に続くステップＳ４２では、内気温度センサ１３３によって測定された内気温度が取得される。ステップＳ４２に続くステップＳ４３では、内部温度センサ３５０によって測定された内部温度が取得される。ステップＳ４３に続くステップＳ４４では、内気循環モードであるか否かが判定される。内気循環モードである場合にはステップＳ４５に移行する。
【００８３】
ステップＳ４５では、ステップＳ４２で取得された内気温度が、ステップＳ４３で取得された内部温度よりも低いか否かが判定される。内気温度が内部温度よりも低い場合にはステップＳ４７に移行する。
【００８４】
ステップＳ４５からステップＳ４７に移行したということは、導入管２９０を通って粒子検知部３００に導入される空気の温度（この場合は内気温度に等しい）が、粒子検知部３００の内部の温度である内部温度よりも低いということである。このため、粒子検知部３００に導入される空気は、粒子検知部３００の流路を区画する部分に触れることによってその温度を上昇させることとなる。このような状況においては、粒子検知部３００の内部で結露が生じている可能性は低い。このため、ステップＳ４７では「結露が解消した（つまり現時点では結露が発生していない）」との判定がなされる。
【００８５】
ステップＳ４５において、内気温度が内部温度以上であった場合にはステップＳ４６に移行する。ステップＳ４５からステップＳ４６に移行したということは、導入管２９０を通って粒子検知部３００に導入される空気の温度（この場合は内気温度に等しい）が、粒子検知部３００の内部の温度である内部温度以上ということである。このため、粒子検知部３００に導入される空気は、粒子検知部３００の流路を区画する部分に触れることによってその温度を維持又は低下させることとなる。このような状況においては、粒子検知部３００の内部で結露が解消している可能性が高い。このため、ステップＳ４６では「結露が解消していない（つまり現時点でも結露が発生している）」との判定がなされる。
【００８６】
ステップＳ４４において、内気循環モードではないと判定された場合、すなわち外気循環モードであると判定された場合には、ステップＳ４８に移行する。ステップＳ４８では、ステップＳ４１で取得された外気温度が、ステップＳ４３で取得された内部温度よりも低いか否かが判定される。外気温度が内部温度よりも低い場合にはステップＳ４７に移行する。
【００８７】
ステップＳ４８からステップＳ４７に移行したということは、導入管２９０を通って粒子検知部３００に導入される空気の温度（この場合は外気温度に等しい）が、粒子検知部３００の内部の温度である内部温度よりも低いということである。このため、ステップＳ４５から移行した場合と同様に、ステップＳ４７では「結露が解消した（つまり現時点では結露が発生していない）」との判定がなされる。
【００８８】
ステップＳ４８において、外気温度が内部温度以上であった場合にはステップＳ４６に移行する。ステップＳ４８からステップＳ４６に移行したということは、導入管２９０を通って粒子検知部３００に導入される空気の温度（この場合は外気温度に等しい）が、粒子検知部３００の内部の温度である内部温度以上ということである。このため、ステップＳ４５から移行した場合と同様に、ステップＳ４６では「結露が解消していない（つまり現時点でも結露が発生している）」との判定がなされる。
【００８９】
以上のように、本実施形態の結露判定部１１０は、図５のステップＳ０２で結露が発生していると判定した後において、粒子検知部３００に導入される空気の温度が、粒子検知部３００の内部の温度よりも低くなった場合に、結露が解消したと判定する。このような態様でも、第１実施形態で説明したものと同様の効果が得られる。
【００９０】
第５実施形態について説明する。以下では、第１実施形態と異なる点について主に説明し、第１実施形態と共通する点については適宜説明を省略する。本実施形態では、制御装置１００によって実行される処理のうち、図５のステップＳ０６において実行される処理の内容において第１実施形態と異なっている。図１０に示される一連の処理は、当該ステップＳ０６において実行される処理の具体的な内容である。
【００９１】
最初のステップＳ５１では、内部温度センサ３５０によって測定された内部温度が取得される。ステップＳ５１に続くステップＳ５２では、ステップＳ５１で取得された内部温度が、所定の閾値ＴＨ４よりも大きいか否かが判定される。閾値ＴＨ４は、検知される粒子濃度の値に影響を及ぼすような結露が生じ得ない程度の温度を示す値として、予め設定された閾値である。内部温度が閾値ＴＨ４よりも大きい場合にはステップＳ５４に移行する。
【００９２】
ステップＳ５４に移行したということは、内部温度が高いために結露が残っている可能性が低いということである。このため、ステップＳ５４では「結露が解消した（つまり現時点では結露が発生していない）」との判定がなされる。
【００９３】
ステップＳ５２において、内部温度が閾値ＴＨ４以下であった場合にはステップＳ５３に移行する。ステップＳ５３に移行したということは、内部温度が低いために、結露が残っている可能性が高いということである。このため、ステップＳ５３では「結露が解消していない（つまり現時点でも結露が発生している）」との判定がなされる。
【００９４】
以上のように、本実施形態の結露判定部１１０は、図５のステップＳ０２で結露が発生していると判定した後において、粒子検知部３００の内部の温度が所定の閾値ＴＨ４よりも高くなった場合に、結露が解消したと判定する。このような態様でも、第１実施形態で説明したものと同様の効果が得られる。
【００９５】
第６実施形態について説明する。以下では、第１実施形態と異なる点について主に説明し、第１実施形態と共通する点については適宜説明を省略する。本実施形態では、制御装置１００によって実行される処理のうち、図５のステップＳ０６において実行される処理の内容において第１実施形態と異なっている。図１１に示される一連の処理は、当該ステップＳ０６において実行される処理の具体的な内容である。
【００９６】
最初のステップＳ６１では、図５のステップＳ０２において「結露が発生している」と判定された時点から、現時点までに所定期間が経過したか否かが判定される。所定期間が経過したと判定された場合にはステップＳ６３に移行する。ステップＳ６３では「結露が解消した（つまり現時点では結露が発生していない）」との判定がなされる。一方、ステップＳ６１において所定期間が経過していないと判定された場合にはステップＳ６２に移行する。ステップＳ６２では「結露が解消していない（つまり現時点でも結露が発生している）」との判定がなされる。
【００９７】
尚、図５のステップＳ０２において「結露が発生していない」と判定されていた場合には、時間の経過に拘らずステップＳ６１からステップＳ６３に移行する。
【００９８】
以上のように、本実施形態の結露判定部１１０は、図５のステップＳ０２で結露が発生していると判定した後において所定期間が経過したときに、結露が解消したと判定する。このように、結露が解消している状況であることを直接は確認せず、一定の期間が経過したことをもって結露が解消していると判定するような態様でも、第１実施形態で説明したものと同様の効果が得られる。
【００９９】
第７実施形態について説明する。以下では、第１実施形態と異なる点について主に説明し、第１実施形態と共通する点については適宜説明を省略する。本実施形態では、図５に示される一連の処理に換えて、図１２に示される一連の処理が制御装置１００により実行される。
【０１００】
最初のステップＳ７１では、図５のステップＳ０１と同様に、粒子検知部３００からの出力値が取得される。ステップＳ７１に続くステップＳ７２では、ドアセンサ１３４からの信号に基づいて、いずれかのドアが開かれたか否かが判定される。いずれのドアも開かれなかった場合には、後述のステップＳ８０に移行する。いずれかのドアが開かれ場合にはステップＳ７３に移行する。
【０１０１】
ステップＳ７３では、外気湿度センサ１３２で測定された外気湿度が取得される。ステップＳ７３に続くステップＳ７４では、外気温度センサ１３１によって測定された外気温度が取得される。尚、ステップＳ７３における外気湿度の取得、及びステップＳ７４における外気温度の取得は、上記とは異なる態様において行われてもよい。例えば、制御装置１００が外部のクラウドサーバーと通信を行うことにより、車両の周囲における外気湿度及び外気温度をそれぞれクラウドサーバーから取得することとしてもよい。
【０１０２】
ステップＳ７４に続くステップＳ７５では、上記の外気湿度と外気温度とに基づいて外気水蒸気量が算出される。「外気水蒸気量」とは、外気導入部２２０から導入される外部の空気に含まれる水蒸気量、具体的には、単位体積の当該空気に含まれる水蒸気量のことである。外気水蒸気量の算出は、例えば、予め作成されたマップを参照することによって行われる。
【０１０３】
ステップＳ７５に続くステップＳ７６では、内気温度センサ１３３によって測定された内気温度が取得される。ステップＳ７６に続くステップＳ７７では、上記の内気温度に基づいて内気飽和水蒸気量が算出される。「内気飽和水蒸気量」とは、単位体積の車室内の空気における飽和水蒸気量のことである。内気飽和水蒸気量の算出は、例えば、予め作成されたマップを参照することによって行われる。
【０１０４】
ステップＳ７７に続くステップＳ７８では、ステップＳ７５で算出された外気水蒸気量が、ステップＳ７７で算出された内気飽和水蒸気量よりも大きいか否かが判定される。外気水蒸気量が内気飽和水蒸気量よりも大きい場合には、ステップＳ７９に移行する。この場合、開放されたドアを介して車室内に流入した空気、の一部が粒子検知部３００の内側に流入すると、当該空気に含まれる水蒸気量（つまり外気水蒸気量）が内気飽和水蒸気量を超えるため、粒子検知部３００の内部で結露が生じるということである。
【０１０５】
このため、ステップＳ７９では、結露判定部１１０が「結露が発生している」と判定する。これと同時に、図５のステップＳ０３と同様に、結露によって粒子濃度の測定が正確には行われていないことを示すダイアグ信号が、制御装置１００から車両制御用のＥＣＵに向けて出力される。また、報知部１４０では、結露が生じている旨を示す文字列（つまり結露判定部１１０による判定結果）が画面上に表示される。その後、ステップＳ８０に移行する。
【０１０６】
ステップＳ７８において、外気水蒸気量が内気飽和水蒸気量以下であった場合には、上記のようなダイアグ信号の出力を行うことなくステップＳ８０に移行する。ステップＳ８０では、図５のステップＳ０４と同様に、報知部１４０の画面に、出力値に応じた粒子濃度を表示する処理が行われる。
【０１０７】
ステップＳ８０に続くステップＳ８１では、ステップＳ７９に移行した時点から、現時点までに所定期間が経過したか否かが判定される。所定期間が経過したと判定された場合にはステップＳ８２に移行する。ステップＳ８２では、結露判定部１１０が「結露が解消した（つまり現時点では結露が発生していない）」と判定する。これと同時に、図５のステップＳ０７と同様に、制御装置１００に向けたダイアグ信号の出力が停止される。また、報知部１４０では、結露が生じている旨を示す文字列の表示が停止される。
【０１０８】
一方、ステップＳ８１において所定期間が経過していないと判定された場合には、ダイアグ信号の出力を継続したまま、図１２に示される一連の処理を終了する。尚、ステップＳ７９を経ることなくステップＳ８１に移行した場合には、そのまま図１２に示される一連の処理を終了する。
【０１０９】
以上のように、本実施形態の結露判定部１１０は、車両の外部の気温である外気温度と、車両の外部の湿度である外気湿度と、車室内の気温である内気温度と、に基づいて、粒子検知部３００の内部で結露が発生しているか否かを判定する。具体的には、外気温度及び外気湿度に基づいて外気水蒸気量を算出し、内気温度に基づいて内気飽和水蒸気量を算出し、外気水蒸気量が内気飽和水蒸気量よりも大きいときに車両のドアが開放された場合に、粒子検知部３００の内部で結露が発生していると判定する。これにより、ドアから侵入した外気によって結露が生じることを、結露判定部１１０がより確実に判定することができる。
【０１１０】
第８実施形態について説明する。以下では、第１実施形態と異なる点について主に説明し、第１実施形態と共通する点については適宜説明を省略する。図１３に示されるように、本実施形態では、制御装置１００が状況判定部１２０を有している。状況判定部１２０は、粒子検知部３００の内部で結露が発生し得ない状況であるか否か、を判定する部分である。
【０１１１】
当該判定の具体的な態様について、図１４を参照しながら説明する。図１４に示される一連の処理は、所定の制御周期が経過する毎に、制御装置１００によって繰り返し実行されるものである。当該処理は、図５に示される一連の処理に先立って行われる。ただし、後に説明するように、当該処理が行われているときの状況によっては、図５に示される一連の処理が実行されないこともある。
【０１１２】
最初のステップＳ９１では、外気温度センサ１３１によって測定された外気温度が取得される。尚、ステップＳ９１における外気温度の取得は、上記とは異なる態様において行われてもよい。例えば、制御装置１００が外部のクラウドサーバーと通信を行うことにより、車両の周囲における外気温度をクラウドサーバーから取得することとしてもよい。
【０１１３】
ステップＳ９１に続くステップＳ９２では、内気温度センサ１３３によって測定された内気温度が取得される。ステップＳ９２に続くステップＳ９３では、内部温度センサ３５０によって測定された内部温度が取得される。
【０１１４】
ステップＳ９３に続くステップＳ９４では、ステップＳ９２で取得された内気温度が、ステップＳ９３で取得された内部温度よりも低いか否かが判定される。内気温度が内部温度よりも低い場合にはステップＳ９５に移行する。
【０１１５】
ステップＳ９５では、ステップＳ９１で取得された外気温度が、ステップＳ９３で取得された内部温度よりも低いか否かが判定される。外気温度が内部温度よりも低い場合にはステップＳ９６に移行する。
【０１１６】
ステップＳ９６に移行したということは、内気循環モード及び外気循環モードのいずれの場合であっても、導入管２９０を通って粒子検知部３００に導入される空気の温度が、粒子検知部３００の内部の温度である内部温度よりも低いということである。このため、粒子検知部３００に導入される空気は、粒子検知部３００の流路を区画する部分に触れることによってその温度を上昇させることとなる。このような状況においては、粒子検知部３００の内部で結露が生じる可能性は低い。このため、ステップＳ９６では「結露が発生し得ない状況である」との判定がなされる。当該判定は状況判定部１２０によってなされる。
【０１１７】
ステップＳ９６に続くステップＳ９７では、図５のステップＳ０１と同様に、粒子検知部３００からの出力値が取得される。ステップＳ９７に続くステップＳ９８では、報知部１４０の画面に、出力値に応じた粒子濃度を表示する処理が行われる。その後、図１４に示される一連の処理を終了する。この場合、図５に示される一連の処理は行われない。このため、結露判定部１１０による判定、すなわち結露が発生しているか否かの判定については行われない。
【０１１８】
このように、本実施形態では、粒子検知部３００に導入される空気の温度が、粒子検知部３００の内部の温度よりも低い場合には、状況判定部１２０が「結露が発生し得ない状況である」と判定する。状況判定部１２０によって「結露が発生し得ない状況である」と判定された場合には、結露判定部１１０は、結露が発生しているか否かの判定を行わない。このため、結露が実際には発生していないにもかかわらず、結露が発生しているとの誤判定がなされてしまうようなことが確実に防止される。
【０１１９】
ステップＳ９４において内気温度が内部温度以上であった場合、もしくは、ステップＳ９５において外気温度が内部温度以上であった場合には、ステップＳ９９に移行する。ステップＳ９９に移行したということは、導入管２９０を通って粒子検知部３００に導入される空気の温度（内気温度又は外気温度）が、粒子検知部３００の内部の温度である内部温度以上となる可能性がある。このため、ステップＳ９９では「結露が発生し得る」との判定がなされる。
【０１２０】
ステップＳ９９に続くステップＳ１００では、図５に示される一連の処理、すなわち第１実施形態と同様の処理が行われる。当該処理においては、既に述べたように、結露が発生しているか否かの判定が結露判定部１１０によって行われることとなる。このように、本実施形態では、状況判定部１２０によって「結露が発生し得る」との判定がなされた場合にのみ、結露が発生しているか否かの判定が結露判定部１１０によって行われる。尚、ステップＳ１００において実行される処理は、上記のように第１実施形態と同様の処理であってもよいが、第２実施形態から第７実施形態までのいずれかと同様の処理であってもよい。
【０１２１】
第９実施形態について説明する。以下では、上記の第８実施形態と異なる点について主に説明し、第８実施形態と共通する点については適宜説明を省略する。本実施形態では、図１４に示される一連の処理に換えて、図１５に示される一連の処理が制御装置１００により実行される。
【０１２２】
最初のステップＳ１０１では、外気温度センサ１３１によって測定された外気温度が取得される。尚、ステップＳ１０１における外気温度の取得は、上記とは異なる態様において行われてもよい。例えば、制御装置１００が外部のクラウドサーバーと通信を行うことにより、車両の周囲における外気温度をクラウドサーバーから取得することとしてもよい。
【０１２３】
ステップＳ１０１に続くステップＳ１０２では、内気温度センサ１３３によって測定された内気温度が取得される。ステップＳ１０２に続くステップＳ１０３では、内部温度センサ３５０によって測定された内部温度が取得される。
【０１２４】
ステップＳ１０３に続くステップＳ１０４では、内気循環モードであるか否かが判定される。内気循環モードである場合にはステップＳ１０５に移行する。
【０１２５】
ステップＳ１０５では、ステップＳ１０２で取得された内気温度が、ステップＳ１０３で取得された内部温度よりも低いか否かが判定される。内気温度が内部温度よりも低い場合にはステップＳ１０６に移行する。
【０１２６】
ステップＳ１０５からステップＳ１０６に移行したということは、導入管２９０を通って粒子検知部３００に導入される空気の温度（この場合は内気温度に等しい）が、粒子検知部３００の内部の温度である内部温度よりも低いということである。このため、粒子検知部３００に導入される空気は、粒子検知部３００の流路を区画する部分に触れることによってその温度を上昇させることとなる。このような状況においては、粒子検知部３００の内部で結露が生じる可能性は低い。このため、ステップＳ１０６では「結露が発生し得ない状況である」との判定がなされる。当該判定は状況判定部１２０によってなされる。
【０１２７】
ステップＳ１０６に続くステップＳ１０７では、図５のステップＳ０１と同様に、粒子検知部３００からの出力値が取得される。ステップＳ１０７に続くステップＳ１０８では、報知部１４０の画面に、出力値に応じた粒子濃度を表示する処理が行われる。その後、図１５に示される一連の処理を終了する。この場合、図５に示される一連の処理は行われない。このため、結露判定部１１０による判定、すなわち結露が発生しているか否かの判定については行われない。
【０１２８】
ステップＳ１０５において内気温度が内部温度以上であった場合には、ステップＳ１１０に移行する。ステップＳ１０５からステップＳ１１０に移行したということは、導入管２９０を通って粒子検知部３００に導入される空気の温度（この場合は内気温度に等しい）が、粒子検知部３００の内部の温度である内部温度以上ということである。このため、ステップＳ１１０では「結露が発生し得る」との判定がなされる。
【０１２９】
ステップＳ１１０に続くステップＳ１１１では、図１４のステップＳ１００と同様に、図５に示される一連の処理、すなわち第１実施形態と同様の処理が行われる。当該処理においては、既に述べたように、結露が発生しているか否かの判定が結露判定部１１０によって行われることとなる。尚、ステップＳ１００において実行される処理は、上記のように第１実施形態と同様の処理であってもよいが、第２実施形態から第７実施形態までのいずれかと同様の処理であってもよい。
【０１３０】
ステップＳ１０４において、内気循環モードではないと判定された場合、すなわち外気循環モードであると判定された場合には、ステップＳ１０９に移行する。ステップＳ１０９では、ステップＳ１０１で取得された外気温度が、ステップＳ１０３で取得された内部温度よりも低いか否かが判定される。外気温度が内部温度よりも低い場合にはステップＳ１０６に移行する。
【０１３１】
ステップＳ１０９からステップＳ１０６に移行したということは、導入管２９０を通って粒子検知部３００に導入される空気の温度（この場合は外気温度に等しい）が、粒子検知部３００の内部の温度である内部温度よりも低いということである。このため、粒子検知部３００に導入される空気は、粒子検知部３００の流路を区画する部分に触れることによってその温度を上昇させることとなる。このような状況においては、粒子検知部３００の内部で結露が生じる可能性は低い。このため、ステップＳ１０６では「結露が発生し得ない状況である」との判定がなされる。当該判定は状況判定部１２０によってなされる。以降の処理は、既に述べたものと同じである。
【０１３２】
ステップＳ１０９において外気温度が内部温度以上であった場合には、ステップＳ１１０に移行する。ステップＳ１０９からステップＳ１１０に移行したということは、導入管２９０を通って粒子検知部３００に導入される空気の温度（この場合は外気温度に等しい）が、粒子検知部３００の内部の温度である内部温度以上ということである。このため、ステップＳ１１０では「結露が発生し得る」との判定がなされる。以降の処理は、既の述べたものと同じである。
【０１３３】
このように、本実施形態では第８実施形態（図１４）と同様に、粒子検知部３００に導入される空気の温度が、粒子検知部３００の内部の温度よりも低い場合には、状況判定部１２０が「結露が発生し得ない状況である」と判定する。状況判定部１２０によって「結露が発生し得ない状況である」と判定された場合には、結露判定部１１０は、結露が発生しているか否かの判定を行わない。
【０１３４】
本実施形態では、内気温度と内部温度との比較（ステップＳ１０５）と、外気温度と内部温度との比較（ステップＳ１０９）とが、内気循環モードであるか否かに応じて択一的に行われる。このような態様であっても、第８実施形態で説明したものと同様の効果が得られる。
【０１３５】
これまでに述べたように、図９のステップＳ４１、図１２のステップＳ７４、図１４のステップＳ９１、及び図１５のステップＳ１０１における外気温度は、制御装置１００が外部のクラウドサーバーから取得することとしてもよい。また、図１２のステップＳ７３における外気湿度についても同様に、制御装置１００が外部のクラウドサーバーから取得することとしてもよい。
【０１３６】
外気温度や外気湿度をこのように取得するための具体的な構成について、図１６を参照しながら説明する。この例では、制御装置１００が外部との無線通信を行うための装置として、車両には受信機１４１と送信機１４２とが設けられている。また、制御装置１００には、機能的な制御ブロックの一つとして、結露判定部１１０のほかに情報取得部１５０を備えている。情報取得部１５０は、クラウドサーバー４００から外気温度及び外気湿度を取得する処理を行う部分である。図１３に示される第８実施形態のように、制御装置１００が更に状況判定部１２０を備えているような態様であってもよい。
【０１３７】
この例においては、大気の温度及び湿度のそれぞれを測定するための温湿度センサ４３１等が、車両が走行し得る道路の各地点に接地されている。図１６には、地点Ａに設置されている温湿度センサ４３１と、地点Ｂに設置されている温湿度センサ４３２と、地点Ｃに設置されている温湿度センサ４３３と、地点Ｄに設置されている温湿度センサ４３４と、が示されている。尚、各地点に接地されている温湿度センサ４３１等の数は４つよりも多いのであるが、図１６ではこのうちの４つだけが図示されている。
【０１３８】
それぞれの温湿度センサ４３１等で取得された大気の温度及び湿度は、地域ごとに設置された中継サーバー４２１等へと送信される。図１６の例では、温湿度センサ４３１及び温湿度センサ４３２のそれぞれで取得された大気の温度及び湿度が、中継サーバー４２１へと送信される。また、温湿度センサ４３３及び温湿度センサ４３４のそれぞれで取得された大気の温度及び湿度が、中継サーバー４２２へと送信される。尚、接地された中継サーバー４２１等の数は２つよりも多いのであるが、図１６ではこのうちの２つだけが図示されている。それぞれの中継サーバー４２１等へと情報を送信する温湿度センサ４３１等の数は、図１６の例では２つずつとなっているのであるが、これとは異なる数であってもよい。
【０１３９】
クラウドサーバー４００は、クラウド上に設置されたサーバーであって、制御装置１００との間で双方向の無線通信を行うことができるものである。また、クラウドサーバー４００は、それぞれの中継サーバー４２１との間でも通信を行うことができる。クラウドサーバー４００は、それぞれの中継サーバー４２１と通信を行うことにより、各地点で測定された大気の温度及び湿度を取得し記憶している。図１６の例において、クラウドサーバー４００は、温湿度情報Ａと、温湿度情報Ｂと、温湿度情報Ｃと、温湿度情報Ｄと、を記憶している。
【０１４０】
温湿度情報Ａは、温湿度センサ４３１で取得された温度及び湿度、すなわち、地点Ａにおける大気の温度及び湿度を示す情報である。温湿度情報Ｂは、温湿度センサ４３２で取得された温度及び湿度、すなわち、地点Ｂにおける大気の温度及び湿度を示す情報である。温湿度情報Ｃは、温湿度センサ４３３で取得された温度及び湿度、すなわち、地点Ｃにおける大気の温度及び湿度を示す情報である。温湿度情報Ｄは、温湿度センサ４３４で取得された温度及び湿度、すなわち、地点Ｄにおける大気の温度及び湿度を示す情報である。クラウドサーバー４００は、図６に示された４つの温湿度センサ（４３１等）以外によって測定された温度及び湿度についても記憶している。
【０１４１】
制御装置１００が、クラウドサーバー４００から情報を取得する方法について説明する。先ず、制御装置１００は、現時点において車両が走行している位置を、車両に設けられたＧＰＳシステム１６０から取得する。制御装置１００は、当該位置を、送信機１４２からクラウドサーバー４００へと送信する。当該処理は、制御装置１００のうち情報取得部１５０によって行われる。
【０１４２】
位置を受信したクラウドサーバー４００は、当該位置に対応する地点に最も近い位置で測定された大気の温度及び湿度を、無線通信によって制御装置１００へと送信する。例えば、上記の位置に最も近い地点が地点Ａであった場合には、クラウドサーバー４００は、温湿度情報Ａを制御装置１００へと送信する。
【０１４３】
制御装置１００の情報取得部１５０は、クラウドサーバー４００から送信された温度及び湿度を、受信機１４１によって受信し取得する。これにより、制御装置１００は、車両の周囲における外気温度及び外気湿度を取得することができる。
【０１４４】
尚、以上に説明した制御装置１００の構成や、外気温度及び外気湿度の取得方法は、これまでに説明したいずれの実施形態においても採用することができる。
【０１４５】
以上、具体例を参照しつつ本実施形態について説明した。しかし、本開示はこれらの具体例に限定されるものではない。これら具体例に、当業者が適宜設計変更を加えたものも、本開示の特徴を備えている限り、本開示の範囲に包含される。前述した各具体例が備える各要素およびその配置、条件、形状などは、例示したものに限定されるわけではなく適宜変更することができる。前述した各具体例が備える各要素は、技術的な矛盾が生じない限り、適宜組み合わせを変えることができる。
【符号の説明】
【０１４６】
１０：車両用空調装置
１１０：結露判定部
３００：粒子検知部
【図１】
2019038523.tif 000003
【図２】
2019038523.tif 000004
【図３】
2019038523.tif 000005
【図４】
2019038523.tif 000006
【図５】
2019038523.tif 000007
【図６】
2019038523.tif 000008
【図７】
2019038523.tif 000009
【図８】
2019038523.tif 000010
【図９】
2019038523.tif 000011
【図１０】
2019038523.tif 000012
【図１１】
2019038523.tif 000013
【図１２】
2019038523.tif 000014
【図１３】
2019038523.tif 000015
【図１４】
2019038523.tif 000016
【図１５】
2019038523.tif 000017
【図１６】
2019038523.tif 000018